(57)【要約】【課題】巻線損失を低減することができる変圧器を提供する。【解決手段】第１の二次巻線４１と第４の二次巻線４４との間に第１の一次巻線３１が配置されるとともに、第２の二次巻線４２と第３の二次巻線４３との間に第２の一次巻線３２が配置されている。第１の二次巻線４１と第１の一次巻線３１とが互いに隣り合って重なり、第１の一次巻線３１と第４の二次巻線４４とが互いに隣り合って重なり、第４の二次巻線４４と第３の二次巻線４３とが互いに隣り合って重なり、第３の二次巻線４３と第２の一次巻線３２とが互いに隣り合って重なり、第２の一次巻線３２と第２の二次巻線４２とが互いに隣り合って重なっている。【選択図】図１
2018022765.tif 000002
【特許請求の範囲】
【請求項１】
コアと、
前記コアに巻回される第１の一次巻線と、
前記コアに巻回され、前記第１の一次巻線に直列接続された第２の一次巻線と、
前記コアに巻回される第１の二次巻線と、
前記コアに巻回され、前記第１の二次巻線に直列接続された第２の二次巻線と、
前記第１の二次巻線と前記第２の二次巻線との間に設けられた中間タップと、
前記コアに巻回され、前記第１の二次巻線に並列接続された第３の二次巻線と、
前記コアに巻回され、前記第２の二次巻線に並列接続された第４の二次巻線と、
を有する変圧器であって、
前記第１の二次巻線と前記第４の二次巻線との間に前記第１の一次巻線が配置されるとともに、前記第２の二次巻線と前記第３の二次巻線との間に前記第２の一次巻線が配置され、
前記第１の二次巻線と前記第１の一次巻線とが互いに隣り合って重なり、前記第１の一次巻線と前記第４の二次巻線とが互いに隣り合って重なり、前記第４の二次巻線と前記第３の二次巻線とが互いに隣り合って重なり、前記第３の二次巻線と前記第２の一次巻線とが互いに隣り合って重なり、前記第２の一次巻線と前記第２の二次巻線とが互いに隣り合って重なることを特徴とする変圧器。
【請求項２】
前記第１の一次巻線及び前記第２の一次巻線に対して第１の方向に電流が流れる場合に前記第１の二次巻線及び前記第３の二次巻線に電流を流し、前記第１の一次巻線及び前記第２の一次巻線に対して第２の方向に電流が流れる場合に前記第２の二次巻線及び前記第４の二次巻線に電流を流すブリッジ回路を一次側に備え、
前記第１の二次巻線の一端には第１のダイオードが接続されるとともに前記第２の二次巻線の一端には第２のダイオードが接続されることを特徴とする請求項１に記載の変圧器。
【請求項３】
放熱部材を更に有し、
前記第１の二次巻線と前記第１の一次巻線との間、前記第１の一次巻線と前記第４の二次巻線との間、前記第４の二次巻線と前記第３の二次巻線との間、前記第３の二次巻線と前記第２の一次巻線との間及び前記第２の一次巻線と前記第２の二次巻線との間は樹脂でモールドされていることを特徴とする請求項１または２に記載の変圧器。
【発明の詳細な説明】
【技術分野】
【０００１】
本発明は、中間タップを有する変圧器に関するものである。
【背景技術】
【０００２】
フルブリッジ方式、ハーフブリッジ方式等の回路では、中間タップ構造の変圧器（トランス）が使われる。中間タップ構造の変圧器では、二次巻線が２本の巻線により構成され、各二次巻線が交互に導通する。
【０００３】
特許文献１においては同公報図９，１０，１１を用いて薄型大電流トランスが開示されている。詳しくは、図８に示すように、一次巻線２００は第１の一次巻線２０１と第２の一次巻線２０２からなり、第１の一次巻線２０１と第２の一次巻線２０２とは直列接続される。二次巻線２１０は第１の二次巻線２１１と第２の二次巻線２１２と第３の二次巻線２１３と第４の二次巻線２１４からなり、第１の二次巻線２１１と第２の二次巻線２１２とは直列接続され、第３の二次巻線２１３は第１の二次巻線２１１に並列接続され、第４の二次巻線２１４は第２の二次巻線２１２に並列接続される。各巻線（第１の一次巻線２０１、第２の一次巻線２０２、第１の二次巻線２１１、第２の二次巻線２１２、第３の二次巻線２１３、第４の二次巻線２１４）は平面構造をなし、積層配置される。第１の二次巻線２１１の下に第１の一次巻線２０１が、第１の一次巻線２０１の下に第３の二次巻線２１３が、第３の二次巻線２１３の下に第４の二次巻線２１４が、第４の二次巻線２１４の下に第２の一次巻線２０２が、第２の一次巻線２０２の下に第２の二次巻線２１２が配置されている。
【先行技術文献】
【特許文献】
【０００４】
【特許文献１】特許第４０５９３９６号公報
【発明の概要】
【発明が解決しようとする課題】
【０００５】
ところが、図８において第１の一次巻線２０１と第２の一次巻線２０２に実線で示す方向に電流が流れる際に第４の二次巻線２１４において渦電流が形成されてしまうとともに第１の一次巻線２０１と第２の一次巻線２０２に破線で示す方向に電流が流れる際に第３の二次巻線２１３において渦電流が形成されてしまい、巻線損失が大きくなってしまう。
【０００６】
本発明の目的は、巻線損失を低減することができる変圧器を提供することにある。
【課題を解決するための手段】
【０００７】
請求項１に記載の発明では、コアと、前記コアに巻回される第１の一次巻線と、前記コアに巻回され、前記第１の一次巻線に直列接続された第２の一次巻線と、前記コアに巻回される第１の二次巻線と、前記コアに巻回され、前記第１の二次巻線に直列接続された第２の二次巻線と、前記第１の二次巻線と前記第２の二次巻線との間に設けられた中間タップと、前記コアに巻回され、前記第１の二次巻線に並列接続された第３の二次巻線と、前記コアに巻回され、前記第２の二次巻線に並列接続された第４の二次巻線と、を有する変圧器であって、前記第１の二次巻線と前記第４の二次巻線との間に前記第１の一次巻線が配置されるとともに、前記第２の二次巻線と前記第３の二次巻線との間に前記第２の一次巻線が配置され、前記第１の二次巻線と前記第１の一次巻線とが互いに隣り合って重なり、前記第１の一次巻線と前記第４の二次巻線とが互いに隣り合って重なり、前記第４の二次巻線と前記第３の二次巻線とが互いに隣り合って重なり、前記第３の二次巻線と前記第２の一次巻線とが互いに隣り合って重なり、前記第２の一次巻線と前記第２の二次巻線とが互いに隣り合って重なることを要旨とする。
【０００８】
請求項１に記載の発明によれば、第１の二次巻線と第１の一次巻線とが互いに隣り合って重なり、第１の一次巻線と第４の二次巻線とが互いに隣り合って重なり、第４の二次巻線と第３の二次巻線とが互いに隣り合って重なり、第３の二次巻線と第２の一次巻線とが互いに隣り合って重なり、第２の一次巻線と第２の二次巻線とが互いに隣り合って重なっている。そして、第１の一次巻線及び第２の一次巻線が通電されると、第１の二次巻線及び第３の二次巻線、もしくは、第２の二次巻線と第４の二次巻線に電流が流れる。よって、第１の一次巻線及び第２の一次巻線の通電により発生する磁界を妨げる巻線が存在しないため、巻線損失が低減される。
【０００９】
請求項２に記載の発明では、請求項１に記載の変圧器において、前記第１の一次巻線及び前記第２の一次巻線に対して第１の方向に電流が流れる場合に前記第１の二次巻線及び前記第３の二次巻線に電流を流し、前記第１の一次巻線及び前記第２の一次巻線に対して第２の方向に電流が流れる場合に前記第２の二次巻線及び前記第４の二次巻線に電流を流すブリッジ回路を一次側に備え、前記第１の二次巻線の一端には第１のダイオードが接続されるとともに前記第２の二次巻線の一端には第２のダイオードが接続されることを要旨とする。
【００１０】
請求項２に記載の発明によれば、第１の一次巻線及び第２の一次巻線に対して第１の方向及び第２の方向に電流が流すことができる。
請求項３に記載のように、請求項１または２に記載の変圧器において、放熱部材を更に有し、前記第１の二次巻線と前記第１の一次巻線との間、前記第１の一次巻線と前記第４の二次巻線との間、前記第４の二次巻線と前記第３の二次巻線との間、前記第３の二次巻線と前記第２の一次巻線との間及び前記第２の一次巻線と前記第２の二次巻線との間は樹脂でモールドされているとよい。
【発明の効果】
【００１１】
本発明によれば、巻線損失を低減することができる。
【図面の簡単な説明】
【００１２】
【図１】実施形態における変圧器の概略分解斜視図。
【図２】変圧器の概略断面図。
【図３】電力変換装置の電気的構成図。
【図４】変圧器の詳細を示す断面図。
【図５】別例の変圧器の概略分解斜視図。
【図６】別例の変圧器の概略断面図。
【図７】別例の電力変換装置の電気的構成図。
【図８】背景技術を説明するための概略分解斜視図。
【発明を実施するための形態】
【００１３】
以下、本発明を具体化した一実施形態を図面に従って説明する。
図１，２に示すように、変圧器１０は、コア２０と一次巻線３０と二次巻線４０を備える。
【００１４】
コア２０は、ＥＩ型コアであって、Ｅ型コア２１とＩ型コア２２を組み合わせることにより構成されている。Ｅ型コア２１は、長方形の板状をなし水平方向に延設された本体部２１ａと、本体部２１ａの一方の面の中央部から突出する中央磁脚２１ｂと、本体部２１ａの一方の面の端部から突設する両側磁脚２１ｃ，２１ｄとを有する。中央磁脚２１ｂは円柱状をなし、両側磁脚２１ｃ，２１ｄは柱状をなしている。Ｉ型コア２２は、長方形の板状をなし水平方向に延設されている。そして、Ｅ型コア２１の中央磁脚２１ｂの先端面とＩ型コア２２とが突き合わされるとともに、Ｅ型コア２１の両側磁脚２１ｃ，２１ｄの先端面とＩ型コア２２とが突き合わされる。Ｅ型コア２１の中央磁脚２１ｂに一次巻線３０と二次巻線４０とが巻回されている。これにより、閉磁路が形成される。
【００１５】
一次巻線３０は、第１の一次巻線３１と第２の一次巻線３２よりなる。第２の一次巻線３２は第１の一次巻線３１に直列接続されている。第１の一次巻線３１と第２の一次巻線３２とはアルファ巻きで構成されている。例えば、第１の一次巻線３１の巻数は「７」であり、第２の一次巻線３２の巻数は「７」である。
【００１６】
二次巻線４０は、第１の二次巻線４１と第２の二次巻線４２と第３の二次巻線４３と第４の二次巻線４４を有する。例えば、第１の二次巻線４１の巻数は「１」であり、第２の二次巻線４２の巻数は「１」であり、第３の二次巻線４３の巻数は「１」であり、第４の二次巻線４４の巻数は「１」である。
【００１７】
第１の一次巻線３１と第２の一次巻線３２は平面配置される。第１の二次巻線４１と第２の二次巻線４２と第３の二次巻線４３と第４の二次巻線４４は、平面配置される。第１の一次巻線３１、第２の一次巻線３２、第１の二次巻線４１、第２の二次巻線４２、第３の二次巻線４３、第４の二次巻線４４は積層して配置される。第２の一次巻線３２は、第１の一次巻線３１に直列接続される。
【００１８】
中間タップ（端子）５０が第１の二次巻線４１と第２の二次巻線４２との間に設けられている。
第３の二次巻線４３は、第１の二次巻線４１に並列接続されている。第４の二次巻線４４は、第２の二次巻線４２に並列接続されている。
【００１９】
各巻線３１，３２，４１，４２，４３，４４の積層構造として、最上段が第１の二次巻線４１であり、その下に、順に、第１の一次巻線３１、第４の二次巻線４４、第３の二次巻線４３、第２の一次巻線３２、第２の二次巻線４２が配置されている。
【００２０】
つまり、第１の二次巻線４１と第４の二次巻線４４との間に第１の一次巻線３１が配置されている。第２の二次巻線４２と第３の二次巻線４３との間に第２の一次巻線３２が配置されている。第１の二次巻線４１と第１の一次巻線３１とが互いに隣り合って重なっている。第１の一次巻線３１と第４の二次巻線４４とが互いに隣り合って重なっている。第４の二次巻線４４と第３の二次巻線４３とが互いに隣り合って重なっている。第３の二次巻線４３と第２の一次巻線３２とが互いに隣り合って重なっている。第２の一次巻線３２と第２の二次巻線４２とが互いに隣り合って重なっている。
【００２１】
図３に示すように、本実施形態における電力変換装置は、ハーフブリッジ構成となっている。
電力変換装置は、直流電源６５の電圧を、例えば１／１４に降圧して負荷７５に出力する。電力変換装置は、Ｈ型のブリッジ回路６０と、ダイオード７１，７２と、コイル７３と、コンデンサ７４を備えている。変圧器１０の一次巻線３０にはブリッジ回路６０が接続されている。また、変圧器１０の二次巻線４０にはダイオード７１，７２が接続されている。
【００２２】
一次側のブリッジ回路６０は、スイッチング素子６１，６２とコンデンサ６３，６４を備えている。スイッチング素子６１，６２はＭＯＳＦＥＴにて構成されている。直流電源６５の正負の端子間においてスイッチング素子６１とスイッチング素子６２が直列に接続されている。直流電源６５の正負の端子間においてコンデンサ６３，６４が直列接続されている。
【００２３】
スイッチング素子６１，６２の中間点とコンデンサ６３，６４間の中間点との間において一次巻線３０、即ち、第１の一次巻線３１と第２の一次巻線３２との直列回路が接続されている。そして、スイッチング素子６１とスイッチング素子６２が交互にオンオフを繰り返して一次巻線３０には直流電源６５の電圧の１／２が交互に極性が異なる状態で加わる。
【００２４】
二次巻線４０における第１の二次巻線４１の一端にダイオード７１のアノードが接続されている。二次巻線４０における第２の二次巻線４２の一端にダイオード７２のアノードが接続されている。ダイオード７１のカソードとダイオード７２のカソードが接続されているとともに両カソードにはコイル７３の一端が接続されている。コイル７３の他端と中間タップ５０との間にコンデンサ７４が接続されている。コイル７３の他端と中間タップ５０との間には負荷７５が接続される。
【００２５】
図１，３に示すように、ブリッジ回路６０を一次側に備えることにより、第１の一次巻線３１及び第２の一次巻線３２に対して実線で示すごとく第１の方向に電流が流れる場合に、第１の二次巻線４１及び第３の二次巻線４３に電流が流れる。また、第１の一次巻線３１及び第２の一次巻線３２に対して破線で示すごとく第２の方向に電流が流れる場合に、第２の二次巻線４２及び第４の二次巻線４４に電流が流れる。
【００２６】
第１の二次巻線４１の一端には第１のダイオードとしてのダイオード７１が接続されるとともに第２の二次巻線４２の一端には第２のダイオードとしてのダイオード７２が接続される。具体的には、第１の二次巻線４１の一端には第１のダイオードとしてのダイオード７１のアノード側が接続されるとともに第２の二次巻線４２の一端には第２のダイオードとしてのダイオード７２のアノード側が接続される。
【００２７】
図４を用いて変圧器１０の詳細を説明する。
放熱部材１００を有し、放熱部材１００の上にＩ型コア２２が配置されている。
基板１１１上に第１の二次巻線４１が配置されている。基板１１２上に第１の一次巻線３１が配置されている。基板１１３上に第４の二次巻線４４が配置されている。基板１１４上に第３の二次巻線４３が配置されている。基板１１５上に第２の一次巻線３２が配置されている。基板１１６上に第２の二次巻線４２が配置されている。各巻線３１，３２，４１，４２，４３，４４は樹脂モールドされている。つまり、基板１１１と第１の一次巻線３１との間に樹脂９０が配置されるとともに基板１１２と第４の二次巻線４４との間に樹脂９０が配置されている。また、基板１１３と第３の二次巻線４３との間に樹脂９０が配置されるとともに基板１１４と第２の一次巻線３２との間に樹脂９０が配置されている。さらに、基板１１５と第２の二次巻線４２との間に樹脂９０が配置されている。
【００２８】
このようにして、第１の二次巻線４１と第１の一次巻線３１との間、第１の一次巻線３１と第４の二次巻線４４との間、第４の二次巻線４４と第３の二次巻線４３との間、第３の二次巻線４３と第２の一次巻線３２との間及び第２の一次巻線３２と第２の二次巻線４２との間は樹脂９０でモールドされている。
【００２９】
また、第１の二次巻線４１と第３の二次巻線４３とが電気的に接続されている。第２の二次巻線４２と第４の二次巻線４４とが電気的に接続されている。
次に、作用について説明する。
【００３０】
図３のスイッチング素子６１とスイッチング素子６２とが交互にオンする。
この際、一方のスイッチング素子６１がオンすることによって一次巻線３０（直列接続された２つの一次巻線３１，３２）には直流電源６５の半分の電圧（＋Ｖ／２）が印加され、一次巻線３１，３２において図１，３で実線で示すごとく第１の方向に電流が流れる。すると、二次巻線４０における第１の二次巻線４１及び第３の二次巻線４３において実線で示すごとく電流が流れ、一方のダイオード７１に電流が流れる。このとき、図１に示すように、第１の一次巻線３１の周囲に磁束φ１が生じるとともに第１の二次巻線４１の周囲に磁束φ２が生じ、磁束φ１の向きと磁束φ２の向きは逆方向であり、磁束が相殺される。同様に、第２の一次巻線３２の周囲に磁束φ３が生じるとともに第３の二次巻線４３の周囲に磁束φ４が生じ、磁束φ３の向きと磁束φ４の向きは逆方向であり、磁束が相殺される。
【００３１】
また、他方のスイッチング素子６２がオンすることによって一次巻線３０（直列接続された２つの一次巻線３１，３２）には直流電源６５の半分の電圧（−Ｖ／２）が印加され、一次巻線３１，３２において図１，３で破線で示すごとく第１の方向とは逆向きの第２の方向に電流が流れる。すると、二次巻線４０における第２の二次巻線４２及び第４の二次巻線４４において破線で示すごとく電流が流れ、他方のダイオード７２に電流が流れる。このとき、図１に示すように、第１の一次巻線３１の周囲に磁束φ５が生じるとともに第４の二次巻線４４の周囲に磁束φ６が生じ、磁束φ５の向きと磁束φ６の向きは逆方向であり、磁束が相殺される。同様に、第２の一次巻線３２の周囲に磁束φ７が生じるとともに第２の二次巻線４２の周囲に磁束φ８が生じ、磁束φ７の向きと磁束φ８の向きは逆方向であり、磁束が相殺される。
【００３２】
図８の構成とした場合には、電流密度の分布が不均一となることにより損失が大きくなる。即ち、第１の一次巻線２０１と第２の一次巻線２０２の通電により第４の二次巻線２１４や第３の二次巻線２１３において渦電流が形成されてしまい、巻線損失が大きくなる。そのため発熱量が大きくなってしまうのでより放熱を促すような構造を採る必要から小型化を阻害する要因になってしまう。
【００３３】
より詳しく説明すると、図８において、第１の二次巻線２１１の下に、第１の一次巻線２０１、第３の二次巻線２１３、第４の二次巻線２１４、第２の一次巻線２０２、第２の二次巻線２１２が配置されている。例えば、第１の一次巻線２０１及び第２の一次巻線２０２に実線で示す第１の方向に電流が流れる場合、次のようになる。
【００３４】
第１の一次巻線２０１の上面表面及び下面表面に電流が流れるとともに第２の一次巻線２０２に電流が流れる。そして、第１の一次巻線２０１の上下両面に対向する第１の二次巻線２１１の下面表面及び第３の二次巻線２１３の上面表面に電流が流れる。ここで、一次巻線の磁界の影響を受けて第４の二次巻線２１４の上面表面に渦電流が発生してしまう。
【００３５】
同様に、第１の一次巻線２０１及び第２の一次巻線２０２に破線で示す第２の方向に電流が流れる場合、次のようになる。
第１の一次巻線２０１に電流が流れるとともに第２の一次巻線２０２の上面表面及び下面表面に電流が流れる。そして、第２の一次巻線２０２の上下両面に対向する第２の二次巻線２１２の上面表面及び第４の二次巻線２１４の下面表面に電流が流れる。ここで、一次巻線の磁界の影響を受けて第３の二次巻線２１３の下面表面に渦電流が発生してしまう。
【００３６】
これに対し、本実施形態では、図１に示すように、第１の二次巻線４１の下に、第１の一次巻線３１、第４の二次巻線４４、第３の二次巻線４３、第２の一次巻線３２、第２の二次巻線４２が配置されている。例えば、第１の一次巻線３１及び第２の一次巻線３２に実線で示す第１の方向に電流が流れる場合、次のようになる。第１の一次巻線３１の上面表面に電流が流れるとともに第２の一次巻線３２の上面表面に電流が流れる。そして、第１の一次巻線３１の上面に対向する第１の二次巻線４１の下面表面に電流が流れるとともに、第２の一次巻線３２の上面に対向する第３の二次巻線４３の下面表面に電流が流れる。よって、渦電流が発生しない。
【００３７】
同様に、第１の一次巻線３１及び第２の一次巻線３２に破線で示す第２の方向に電流が流れる場合、次のようになる。第１の一次巻線３１の下面表面に電流が流れるとともに第２の一次巻線３２の下面表面に電流が流れる。そして、第１の一次巻線３１の下面に対向する第４の二次巻線４４の上面表面に電流が流れるとともに、第２の一次巻線３２の下面に対向する第２の二次巻線４２の上面表面に電流が流れる。よって、渦電流が発生しない。
【００３８】
このようにして、一次巻線３０の通電により第１の二次巻線４１や第３の二次巻線４３において逆向きに電流が流れ、一次巻線３０の通電により第４の二次巻線４４や第２の二次巻線４２において逆向きに電流が流れる。よって、渦電流が形成されにくくでき、巻線損失を低減することができる。そのため発熱量が小さくなり、放熱を促すような構造を採る必要が無いことから小型化を図ることができる。このように、本実施形態においては、二次巻線を並列化させ、また二次巻線同士の相互配置に工夫している。よって、巻線損失を低減することができ、変圧器（トランス）損失低減、変圧器（トランス）小型化が図られる。
【００３９】
上記実施形態によれば、以下のような効果を得ることができる。
（１）変圧器１０の構成として、コア２０と、コア２０に巻回される第１の一次巻線３１と、コア２０に巻回され、第１の一次巻線３１に直列接続された第２の一次巻線３２と、コア２０に巻回される第１の二次巻線４１と、コア２０に巻回され、第１の二次巻線４１に直列接続された第２の二次巻線４２と、を有する。また、第１の二次巻線４１と第２の二次巻線４２との間に設けられた中間タップ５０を有する。さらに、コア２０に巻回され、第１の二次巻線４１に並列接続された第３の二次巻線４３と、コア２０に巻回され、第２の二次巻線４２に並列接続された第４の二次巻線４４と、を有する。さらには、第１の二次巻線４１と第４の二次巻線４４との間に第１の一次巻線３１が配置されるとともに、第２の二次巻線４２と第３の二次巻線４３との間に第２の一次巻線３２が配置されている。また、第１の二次巻線４１と第１の一次巻線３１とが互いに隣り合って重なり、第１の一次巻線３１と第４の二次巻線４４とが互いに隣り合って重なっている。また、第４の二次巻線４４と第３の二次巻線４３とが互いに隣り合って重なり、第３の二次巻線４３と第２の一次巻線３２とが互いに隣り合って重なり、第２の一次巻線３２と第２の二次巻線４２とが互いに隣り合って重なっている。
【００４０】
これにより、第１の一次巻線３１及び第２の一次巻線３２が通電されると、第１の二次巻線４１及び第３の二次巻線４３、もしくは、第２の二次巻線４２と第４の二次巻線４４に電流が流れる。よって、第１の一次巻線３１及び第２の一次巻線３２の通電により発生する磁界を妨げる巻線が存在しないため、巻線損失が低減される。
【００４１】
また、第１の一次巻線３１と第２の二次巻線４２とを重ねることができるため、投影面積を低減させることができる。
（２）第１の一次巻線３１及び第２の一次巻線３２に対して第１の方向に電流が流れる場合に第１の二次巻線４１及び第３の二次巻線４３に電流を流し、第１の一次巻線３１及び第２の一次巻線３２に対して第２の方向に電流が流れる場合に第２の二次巻線４２及び第４の二次巻線４４に電流を流すブリッジ回路６０を一次側に備える。第１の二次巻線４１の一端には第１のダイオードとしてのダイオード７１が接続されるとともに第２の二次巻線４２の一端には第２のダイオードとしてのダイオード７２が接続される。よって、第１の一次巻線３１及び第２の一次巻線３２に対して第１の方向及び第２の方向に電流を流すことができる。
【００４２】
実施形態は前記に限定されるものではなく、例えば、次のように具体化してもよい。
・図１，２，３に代わり図５，６，７に示す構成としてもよい。一次巻線３０は、第１の一次巻線３１と第２の一次巻線３２と第３の一次巻線３３と第４の一次巻線３４を有する。第１の一次巻線３１と第２の一次巻線３２と第３の一次巻線３３と第４の一次巻線３４は直列接続されている。第１の一次巻線３１と第２の一次巻線３２とはアルファ巻きで構成されている。第３の一次巻線３３と第４の一次巻線３４とはアルファ巻きで構成されている。二次巻線４０は、第１の二次巻線４１と第２の二次巻線４２と第３の二次巻線４３と第４の二次巻線４４と第５の二次巻線４５と第６の二次巻線４６と第７の二次巻線４７と第８の二次巻線４８とを有する。第１の二次巻線４１と第２の二次巻線４２は直列接続されている。第１の二次巻線４１に対し、第３の二次巻線４３と第５の二次巻線４５と第７の二次巻線４７とが並列接続されている。第２の二次巻線４２に対し、第４の二次巻線４４と第６の二次巻線４６と第８の二次巻線４８とが並列接続されている。各巻線３１，３２，３３，３４，４１，４２，４３，４４，４５，４６，４７，４８の積層構造として、最上段が第１の二次巻線４１である。そして、その下に、順に、第１の一次巻線３１、第４の二次巻線４４、第３の二次巻線４３、第２の一次巻線３２、第２の二次巻線４２、第５の二次巻線４５、第３の一次巻線３３、第８の二次巻線４８、第７の二次巻線４７、第４の一次巻線３４、第６の二次巻線４６が配置されている。
【００４３】
・図１では第１の一次巻線３１と第２の一次巻線３２とはアルファ巻きで構成されていたが、アルファ巻きで構成されていなくてもよい。
・第１の一次巻線３１の巻数が「７」、第２の一次巻線３２の巻数が「７」、第１の二次巻線４１の巻数が「１」、第２の二次巻線４２の巻数が「１」、第３の二次巻線４３の巻数が「１」、第４の二次巻線４４の巻数が「１」であった。これに限るものではなく、巻線の巻数は任意である。
【００４４】
・降圧回路ではなく昇圧回路に用いてもよい。
・ハーフブリッジ構成となっていたが、これに限るものではない。例えば、フルブリッジ構成でもよい。他にも、プッシュプルタイプでもよい。
【００４５】
・コア２０はＥＩ型コアを用いたがこれに限ることはない。例えば、ＥＥ型コア等であってもよい。
・各巻線３１，３２，４１，４２，４３，４４は平面配置され、積層して配置される場合について説明したが、これに限らない。例えば、各巻線３１，３２，４１，４２，４３，４４は筒状をなし、径方向に各巻線３１，３２，４１，４２，４３，４４を配置してもよい。
【００４６】
・トランスの二次側にダイオード７１，７２を用いたがこれに限ることはない。例えば、スイッチング素子等の整流素子であってもよい。
【符号の説明】
【００４７】
１０…変圧器、２０…コア、３１…第１の一次巻線、３２…第２の一次巻線、４１…第１の二次巻線、４２…第２の二次巻線、４３…第３の二次巻線、４４…第４の二次巻線、５０…中間タップ、６０…ブリッジ回路、７１…ダイオード、７２…ダイオード、９０…樹脂、１００…放熱部材。
【図１】
2018022765.tif 000003
【図２】
2018022765.tif 000004
【図３】
2018022765.tif 000005
【図４】
2018022765.tif 000006
【図５】
2018022765.tif 000007
【図６】
2018022765.tif 000008
【図７】
2018022765.tif 000009
【図８】
2018022765.tif 000010